(57)【要約】【課題】  主管自体の両端部を大きく絞り加工する必要がないようにし、これにより、両端部の強度が低下するのを防止できるようにした間隔調整具の提供。【解決手段】  パイプ材により形成された主管１と、主管の一端に連結された伸縮部材４と、主管の他端に連結された伸縮部材又は回転部材５とを備え、前記伸縮部材又は／及び回転部材が、主管の端部に嵌着固定されたエンド部材２，３に連結されている。【選択図】  図１
2005219894.tif 000002
【特許請求の範囲】
【請求項１】
パイプ材により形成された主管と、主管の一端に連結された伸縮部材と、主管の他端に連結された伸縮部材又は回転部材とを備え、
前記伸縮部材又は／及び回転部材が、主管の端部に嵌着固定されたエンド部材に連結されていることを特徴とした間隔調整具。
【請求項２】
主管の一端部に取り付けられたエンド部材に、伸縮部材としてのボルトが連結され、主管の他端部に取り付けられたエンド部材に回転部材が連結されている請求項１記載の間隔調整具。
【請求項３】
主管の一端部に取り付けられたエンド部材に、伸縮部材としての右ネジボルトが連結され、主管の他端部に取り付けられたエンド部材に、伸縮部材としての左ネジボルトが連結されている請求項１記載の間隔調整具。
【発明の詳細な説明】
【技術分野】
【０００１】
本発明は、建物の床下や天井裏等に設置して、建物を補強するのに使用するジャッキ、或いは建築物の構面に設けられる筋交いのターンバックル等として使用できる間隔調整具に関する。
【背景技術】
【０００２】
従来、間隔調整具としてのジャッキとして、例えば、図３に示すようなものが知られている。（例えば、特許文献１参照。）
このジャッキは、パイプ材により形成された主管８０と、この主管８０自体の一端部に形成された右ネジナット穴８１及び主管８０自体の他端部に形成された左ネジナット穴８２と、前記右ネジナット穴８１に螺合した右ネジボルト８３及び左ネジナット穴８２に螺合した左ネジボルト８４とを備えている。
即ち、従来のジャッキでは、パイプ材により形成された主管８０自体の両端に、ネジナット穴８１，８２が形成されたものになっていた。
なお、使用に際しては、例えば、このジャッキを床下の地面と土台骨組みの大引きの間に配置し、次に、主管８０を回転させることにより、両方のネジボルト８３，８４を進出させ、これにより、大引きを下から突っ張る状態にジャッキを設置させ、最後にロックナット８５，８６を主管８の両端に締め付けて、ネジボルト８３，８４の緩みを防止させるものである。
【０００３】
【特許文献１】登録実用新案第３０３１６２２号公報
【発明の開示】
【発明が解決しようとする課題】
【０００４】
上記のジャッキでは、軽量化のために、主管８０をパイプ材により形成させているが、この主管８０には、使用時の圧縮荷重を支えるに十分な太さの外径ｄ１を持たせる必要があるし、又、その両端部には、上記したように、主管８０自体の端部にネジナット穴８１，８２を形成する必要がある。
【０００５】
従って、従来の主管８０では、その中程部分の外径ｄ１と、両端部の外径ｄ２との差が大きくなるため、図３に示すように両端部を大きく絞り加工して、両端部の外径ｄ２を小径にする必要が生じる。
このように、中程部分の外径ｄ１と、両端部の外径ｄ２との差が大きくなると、その両端部の強度どうしても弱くなり、使用時の圧縮荷重によって絞り部分に座屈が生じて、ジャッキとしての機能を果たせなくなるという問題が生じる。
【０００６】
本発明は、かかる従来の問題を解決するためになされたもので、主管自体の両端部を大きく絞り加工する必要がないようにし、これにより、両端部の強度が低下するのを防止し、ジャッキとして使用したときの圧縮荷重によって生じる座屈、ターンバックルとして使用したときの引っ張り荷重によって生じる伸びを防止させ、ジャッキやターンバックル等としての機能を十分に果たすことができるようにした間隔調整具を提供することを課題としている。
【課題を解決するための手段】
【０００７】
上記の課題を解決するために、本発明の間隔調整具は、
パイプ材により形成された主管と、主管の一端に連結された伸縮部材と、主管の他端に連結された伸縮部材又は回転部材とを備え、
前記伸縮部材又は／及び回転部材が、主管の端部に嵌着固定されたエンド部材に連結されている構成とした。
【０００８】
この場合、主管の一端部に取り付けられたエンド部材に、伸縮部材としてのボルトが連結され、主管の他端部に取り付けられたエンド部材に回転部材が連結されている態様（請求項２）がある。
【０００９】
又、主管の一端部に取り付けられたエンド部材に、伸縮部材としての右ネジボルトが連結され、主管の他端部に取り付けられたエンド部材に、伸縮部材としての左ネジボルトが連結されている態様（請求項３）がある。
【発明の効果】
【００１０】
本発明の間隔調整具では、主管の端部にエンド部材を嵌着固定し、このエンド部材に伸縮部材又は／及び回転部材を連結している。
即ち、主管の端部に伸縮部材又は／及び回転部材を直接に連結するものではないため、主管自体の両端部を大きく絞り加工する必要がない。
これにより、主管の両端部の強度が低下するのを防止し、ジャッキとして使用したときの圧縮荷重によって生じる座屈、また、ターンバックルとして使用したときの引っ張り荷重によって生じる伸びを防止させ、ジャッキやターンバックル等としての機能を十分に果たすことができる。
【発明を実施するための最良の形態】
【００１１】
以下、本発明の実施の形態を図面に示す実施例により詳述する。ただし、本発明の具体的な構成はこの実施例に限定されるものではない。
【００１２】
図１は本発明の間隔調整具の第１実施例であるジャッキを示す断面図である。
図において、１は主管で、軽量化を図るために、パイプ材（鋼管）により形成されている。この主管１は、その外径Ｄが、使用時の圧縮荷重を耐えるに十分の座屈強度を有するように形成されている。なお、この主管の外周面には、図示省略したが、スパナ等の工具を掛けるための六角平面部が形成されている。
【００１３】
前記主管１の上端には、主管１とは別部材で形成された上部エンド部材２が取り付けられ、又、主管１の下端には、主管１とは別部材で形成された下部エンド部材３が取り付けられている。
前記上部エンド部材２は、円板の内周及び外周に内周リブ２１ａ及び外周リブ２１ｂが形成された環状体に形成され、その内周リブ２１ａの内周がネジ穴２１ｃに形成されている。
そして、この上部エンド部材２は、その外周リブ２１ｂの内周に前記主管１の上端部を圧入することで、主管１の上端部に取り付けられている。
【００１４】
前記下部エンド部材３は、円板の外周に外周リブ３１ｂが形成された環状体に形成され、そして、この下部エンド部材３は、その外周リブ３１ｂの内周に前記主管１の下端部を圧入することで、主管１の下端部に取り付けられている。
【００１５】
なお、前記上部エンド部材２及び下部エンド部材３の外径は、主管１の外径Ｄとほぼ同一径になるように形成されている。これは主管１との段差を無くして、段差の角によって作業時にケガが生じる危険を回避させるための構造である。
このため、前記主管１の両端部には、上部エンド部材２及び下部エンド部材３の板厚分だけ、絞り加工した小径部１０，１０を形成しているが、この小径部１０，１０は必ずしも必要でなく、主管１をストレート形状に形成して、その端部に上部エンド部材２及び下部エンド部材３を取り付けるようにしてもよい。
【００１６】
前記上部エンド部材２には、伸縮部材としてのボルト４が連結されている。この場合、上部エンド部材２のネジ穴２１ｃにボルト４が螺合されることで、伸縮可能に連結されている。
又、下部エンド部材３には、回転部材としての基板５が回転自在に連結されている。
この場合、基板５の中心部に外向きの嵌込溝５０が形成され、この嵌込溝５０が下部エンド部材３の内周縁３０に嵌合することで、基板５が回転自在に連結されている。
【００１７】
前記ボルト４の上端には、ピン４１を介して当て板４０が回動可能に連結されている。
従って、屋根の垂木等をジャッキで下から支えるような場合に、この垂木の傾斜に応じて当て板４０を傾斜させることができ、このような傾斜部分に対しても的確にジャッキ設置することができる。
又、この当て板４０は、ボルト４の軸方向と直交する受板部４２と、この受板部４２の側縁から立上げられた側板部４３とで形成された直角板に形成され、例えば、建物の床下や天井裏等の骨組み材（角材）を、下方から支持すると同時に、側方からも支持して、当て板４０のズレを防止することができるようにしたものである。
【００１８】
なお、図中９は、ロックナットで、前記上部エンド部材２に当接させる状態でボルト４に螺合させるもので、このボルト４の緩みを防止する。
【００１９】
本実施例のジャッキを使用するに際しては、例えば、このジャッキを床下の地面と土台骨組みの間に配置し、次に、主管１を回転させることにより、ボルト４を進出させ、これにより、土台骨組みを下から突っ張る状態にジャッキを設置させ、最後にロックナット９を上部エンド部材２の端面に締め付けて、ボルト４の緩みを防止させるものである。
【００２０】
本実施例のジャッキでは、主管１の端部に上部エンド部材２及び下部エンド部材３を取り付け、この上部エンド部材２及び下部エンド部材３にボルト４及び基板５を連結させる構造であるため、主管１の両端部の外径を小径に形成するために大きく絞り加工する必要がなくなる。
これにより、中程部分の外径Ｄと、両端部の外径との差を小さくできるため、使用時の圧縮荷重によって座屈が生じるといったことを防止できるし、ジャッキとしての機能を十分に果たすことができる。
【００２１】
また、主管１とエンド部材２，３を別部材に形成したので、条件に応じて異なった板厚設定が可能になり、ジャッキ自身の軽量化や高強度化など、さまざまな状況に対応可能になる。
【００２２】
図２は本発明の間隔調整具の第２実施例であるターンバックルを示す断面図である。
このターンバックルでは、主管１の両端に、主管１とは別部材に形成されたエンド部材６，６が取り付けられている。
前記エンド部材６，６は、円板の内周及び外周に内周リブ６１ａ及び外周リブ６１ｂが形成された環状体に形成され、その内周リブ６１ａの内周がネジ穴６１ｃに形成されている。この場合、一方のエンド部材６のネジ穴６１ｃは、右ネジ穴に形成され、他方のエンド部材６のネジ穴６１ｃは、左ネジ穴に形成されている。
そして、このエンド部材６は、その外周リブ６１ｂの内周に前記主管１の端部を圧入すると共に、外周リブ６１ｂの先端部を主管１の外周面に溶接することで、主管１の端部に取り付けられている。
【００２３】
前記エンド部材６のネジ穴６１ｃ，６１ｃには、伸縮部材としてのボルト７，７が螺合されることで、伸縮可能に連結されている。なお、前記ボルト７，７は、建築物の構面に取り付けられる筋交い等として使用される。
【００２４】
本実施例のターンバックルを使用するに際しては、例えば、前記ボルト７，７を建築物の構面に取り付けられる筋交いとして取り付け、次に、主管１を回転させることにより、ボルト７，７を退入させ、これにより、両ボルト７，７を緊張状態に引っ張り、最後にロックナット９，９をエンド部材６，６の端面に締め付けて、ボルト７，７の緩みを防止させるものである。
【００２５】
本実施例のターンバックルにおいても、エンド部材６，６を用いているため、主管１の両端部の外径を小径に形成するために大きく絞り加工する必要がなくなるし、主管１とエンド部材６，６を別部材に形成したので、条件に応じて異なった板厚設定が可能になり、ターンバックル自身の軽量化や高強度化など、さまざまな状況に対応可能になる。
【図面の簡単な説明】
【００２６】
【図１】本発明の間隔調整具の第１実施例であるジャッキを示す断面図である。
【図２】本発明の間隔調整具の第２実施例であるターンバックルを示す断面図である。
【図３】従来のジャッキを示す断面図である。
【符号の説明】
【００２７】
１  主管
１０  小径部
２  上部エンド部材
２１ａ  内周リブ
２１ｂ  外周リブ
２１ｃ  ネジ穴
３  下部エンド部材
３０  内周縁
３１ｂ  外周リブ
４  ボルト（伸縮部材）
４０  当て板
４１  ピン
４２  受板部
４３  側板部
５  基板（回転部材）
５０  嵌込溝
６  エンド部材
６１ａ  内周リブ
６１ｂ  外周リブ
６１ｃ  ネジ穴
７  ボルト（伸縮部材）
９  ロックナット
【図１】
2005219894.tif 000003
【図２】
2005219894.tif 000004
【図３】
2005219894.tif 000005